(57)【要約】　　　（修正有）【課題】船つり用に使用する仕掛けは、胴付き仕掛けとして複数の針にえさをつけ、オモリによって魚のいそうな棚に落とし込むが、海流によって仕掛けが流され狙ったポイントを外れることがある。これに対してオモリに潮切り板を固定したものが使用されてきた。しかし、状況によっては潮切り板を使用しないこともあり、オモリと潮切り板付きオモリを釣行時に用意しなければならないなどの問題があった。【解決手段】オモリ１に潮切り板３を脱着自在に取付けるよう構成したものである。【選択図】　　　　図２
0003097047.tif 000002
【実用新案登録請求の範囲】
【請求項１】
オモリの回転を防ぐため、当該オモリに潮切り板を脱着自在に取付けたことを特徴とする潮切り板脱着式オモリ。
【請求項２】
オモリ体（２）と潮切り板（３）と潮切り板取付け部（４）から構成され、オモリ体（２）は、所定の形状のオモリ本体（２Ａ）で構成され、潮切り板（３）は、正面横向き略Ｕ字状に構成された潮切り板体（３Ａ）と、潮切り板体（３Ａ）における垂直辺に添設された縦パイプ（３Ｂ）から構成され、潮切り板取付け部（４）は、オモリ本体（２Ａ）に当該オモリ本体（２Ａ）の縦中心線（Ｓ）と平行な状態で開設された縦パイプ（３Ｂ）が貫入嵌合される取付け縦穴（４Ａ）と、取付け縦穴から当該オモリ本体（２Ａ）の外方に向け刻設された潮切り板挟持用縦溝（４Ｂ）から構成され、潮切り板取付け部（４）に潮切り板（３）が脱着自在に装着されていることを特徴とする潮切り板脱着式オモリ。
【請求項３】
オモリ体（２）と潮切り板（３）と潮切り板取付け部（４）から構成され、オモリ体（２）は、所定の形状のオモリ本体（２Ａ）で構成され、潮切り板（３）は、正面横向き略Ｕ字状に構成された潮切り板体（３Ａ）と、潮切り板体（３Ａ）における垂直辺に添設されたテーパピン状の縦パイプ（３Ｂ）から構成され、潮切り板取付け部（４）は、オモリ本体（２Ａ）に当該オモリ本体（２Ａ）の縦中心線（Ｓ）と平行な状態で開設された縦パイプ（３Ｂ）が貫入嵌合されるテーパ状の取付け縦穴（４Ａ）と、取付け縦穴から当該オモリ本体（２Ａ）の外方に向け刻設された潮切り板挟持用縦溝（４Ｂ）から構成され、潮切り板取付け部（４）に潮切り板（３）が脱着自在に装着されていることを特徴とする潮切り板脱着式オモリ。
【請求項４】
潮切り板体（３Ａ）の表裏面にメッキまたは貼り物（３Ｃ）が施されている請求項１ないし請求項３のいずれかに記載の潮切り板脱着式オモリ。
【考案の詳細な説明】
【０００１】
【考案の属する技術分野】
本考案は、新規な構成を有する潮切り板脱着式オモリに関するものである。
主に船つり用の仕掛けに使用するのに好適なものである。
【０００２】
【従来の技術】
従来、この種のものにあっては、下記のようなものになっている。
船つり用に使用する仕掛けは、胴付き仕掛けとして複数の針にえさをつけ、オモリによって魚のいそうな棚に落とし込むが、海流によって仕掛けが流され狙ったポイントを外れることが予想される。
その予防策として仕掛けの中間にオモリを使用することによって防ぐことができるとされ、オモリに潮切り板を固定したものが使用されてきた。
【０００３】
【考案が解決しようとする課題】
従来の技術で述べたものにあっては、下記のような問題点を有していた。
時によっては潮切り板を使用しないことも釣り人は望む場合がある。
しかし、従来のものは使用状況に応じるため、オモリと潮切り板付きオモリを釣行時に用意しなければならなかった。
【０００４】
本考案は、従来の技術の有するこのような問題点に鑑みなされたものであり、その目的とするところは、上述の問題を解決できるものを提供しようとするものである。
【０００５】
【課題を解決するための手段】
上記目的を達成するために、本考案のものは下記のようになるものである。
請求項１記載の考案は、オモリの回転を防ぐため、当該オモリに潮切り板を脱着自在に取付けたことを特徴とするものである。
【０００６】
請求項２記載の考案は、オモリ体２と潮切り板３と潮切り板取付け部４から構成され、
オモリ体２は、所定の形状のオモリ本体２Ａで構成され、
潮切り板３は、正面横向き略Ｕ字状に構成された潮切り板体３Ａと、潮切り板体３Ａにおける垂直辺に添設された縦パイプ３Ｂから構成され、
潮切り板取付け部４は、オモリ本体２Ａに当該オモリ本体２Ａの縦中心線Ｓと平行な状態で開設された縦パイプ３Ｂが貫入嵌合される取付け縦穴４Ａと、取付け縦穴から当該オモリ本体２Ａの外方に向け刻設された潮切り板挟持用縦溝４Ｂから構成され、
潮切り板取付け部４に潮切り板３が脱着自在に装着されていることを特徴とするものである。
【０００７】
請求項３記載の考案は、オモリ体２と潮切り板３と潮切り板取付け部４から構成され、
オモリ体２は、所定の形状のオモリ本体２Ａで構成され、
潮切り板３は、正面横向き略Ｕ字状に構成された潮切り板体３Ａと、潮切り板体３Ａにおける垂直辺に添設されたテーパピン状の縦パイプ３Ｂから構成され、
潮切り板取付け部４は、オモリ本体２Ａに当該オモリ本体２Ａの縦中心線Ｓと平行な状態で開設された縦パイプ３Ｂが貫入嵌合されるテーパ状の取付け縦穴４Ａと、取付け縦穴から当該オモリ本体２Ａの外方に向け刻設された潮切り板挟持用縦溝４Ｂから構成され、
潮切り板取付け部４に潮切り板３が脱着自在に装着されていることを特徴とするものである。
【０００８】
請求項４記載の考案は、請求項１ないし請求項３のいずれかに記載の考案において、潮切り板体３Ａの表裏面にメッキまたは貼り物３Ｃが施されていることを特徴とするものである。
【０００９】
【考案の実施の形態】
実施の形態について図面を参照して説明する。
１は本考案の潮切り板脱着式オモリで、オモリ体２と潮切り板３と、潮切り板取付け部４から構成されている。
【００１０】
Ａ．オモリ体２は、縦長のなつめ型に構成されたオモリ本体２Ａと、オモリ本体２Ａの上下端に突設された上方環２Ａ１および下方環２Ａ２から構成されている。
上方環２Ａ１と下方環２Ａ２にはより戻し（サルカン）が連結される。
Ｂ．潮切り板３は、正面横向き略Ｕ字状に構成された潮切り板体３Ａと、潮切り板体３Ａにおける垂直辺に添設されたテーパピン状の縦パイプ３Ｂから構成されている。
この場合、潮切り板３は、潮切り板体３Ａの垂直辺の長さＬと縦パイプ３Ｂの長さＬ１が同一のもので説明したが、潮切り板体３Ａの垂直辺の長さが縦パイプ３Ｂの長さより短い場合も長い場合もある。
すなわち、潮切り板体３Ａの面積は一定のものではなく大小さまざまな面積のものを用意し、適宜使用することになる。
図中、３Ｃは潮切り板体３Ａの表裏面に施したメッキまたは貼り物である。
縦パイプ３Ｂは丸棒であってもよい。
【００１１】
Ｃ．潮切り板取付け部４は、オモリ本体２Ａに当該オモリ本体２Ａの縦中心線Ｓと平行な状態で開設された縦パイプ３Ｂが貫入嵌合されるテーパ状の取付け縦穴４Ａと、取付け縦穴から当該オモリ本体２Ａの外方に向け刻設された潮切り板挟持用縦溝４Ｂから構成されている。
Ｄ．潮切り板取付け部４における取付け縦穴４Ａの上端に縦パイプ３Ｂの下端を位置させ、当該縦パイプを押圧降下させると、縦パイプは降下すると共に、潮切り板体３Ａにおける縦パイプに隣接する近傍部分３Ａ１は潮切り板挟持用縦溝４Ｂで挟持された状態で保持されることになる。
また、潮切り板３が不要な場合は、当該潮切り板を上方に押圧すると、取付け縦穴４Ａと潮切り板挟持用縦溝４Ｂから離脱することができる。
【００１２】
Ｅ．オモリ本体２Ａの形状について説明する。
オモリ本体２Ａには、なつめ型のオモリ本体のほか、例えば公知の形状である図９、図１０のごとく、なす型のオモリ本体２１、図１１、図１２のごとく、球状型のオモリ本体２２、その他図示は省略するが円盤型のオモリ本体、六角形型のオモリ本体であってもよい。
図９ないし図１２中、３は潮切り板、４は潮切り板取付け部を示す。
【００１３】
【考案の効果】
本考案は、上述の通り構成されているので次に記載する効果を奏する。
１．潮切り板を取付けると、仕掛けの回転による原因での絡みを防ぐことができる特徴がある。
すなわち、潮切り板は、潮流に対して一定方向の特性があり、仕掛けに絡むことの回避を大きな目的としていることから、潮流の速度によって大きさの使い分けができる。
２．潮切り板は脱着可能に構成されているから、潮切り板を必要としない時には潮切り板を取付けないで使用できる。
すなわち、本考案はオモリ単独、また、状況に応じて潮切り板を取付けることにより両方の使用が可能になったので便利である。
３．潮切り板がひらひら動くので、集魚翼としての作用を営むことができる。
４．このほか、安価に製造できる、部品点数が少ないので組立が容易である、経済的である、などの効果をも有するものである。
【図面の簡単な説明】
【図１】本考案のものの使用状態を説明する略図的正面図である。
【図２】潮切り板脱着式オモリの分解斜視図である。
【図３】オモリ体の縦断面図である。
【図４】Ａ−Ａ線断面図である。
【図５】潮切り板の正面図である。
【図６】Ｂ−Ｂ線断面図である。
【図７】潮切り板脱着式オモリの縦断面図である。
【図８】Ｃ−Ｃ線断面図である。
【図９】他の実施例の斜視図である。
【図１０】同上の縦断面図である。
【図１１】他の実施例の斜視図である。
【図１２】同上の縦断面図である。
【符号の説明】
１　潮切り板脱着式オモリ
２　オモリ体
３　潮切り板
４　潮切り板取付け部
【図１】
0003097047.tif 000003
【図２】
0003097047.tif 000004
【図３】
0003097047.tif 000005
【図４】
0003097047.tif 000006
【図５】
0003097047.tif 000007
【図６】
0003097047.tif 000008
【図７】
0003097047.tif 000009
【図８】
0003097047.tif 000010
【図９】
0003097047.tif 000011
【図１０】
0003097047.tif 000012
【図１１】
0003097047.tif 000013
【図１２】
0003097047.tif 000014